(57)【要約】【課題】単純でコンパクトに製作できる構成で、反射板を灯体に簡単に取り付けることができ、かつ、取り付けてから簡単に反射板の角度を調整して、配光の微調整ができる照明器具を提供する。【解決手段】反射板４を有する照明器具１００であって、反射板４の後端部に設けられ、外周に溝６が形成される円筒部５と、円筒部５の溝６に設けられる溝突部７と、反射板取付具８と、反射板取付具８の内側に設けられる内突部（９）と、を具備し、反射板取付具８を円筒部５にはめ合わせ、かつ内突部９を円筒部５の溝６に係合させることにより、反射板取付具８を反射板４に取り付けた照明器具１００を提供する。【選択図】図１
2006286406.tif 000002
【特許請求の範囲】
【請求項１】
反射板を有する照明器具であって、
前記反射板の後端部に設けられ、外周に溝が形成される円筒部と、
前記円筒部の前記溝に設けられる溝突部と、
反射板取付具と、
前記反射板取付具の内側に設けられる内突部と、を具備し、
前記反射板取付具を前記円筒部にはめ合わせ、かつ前記内突部を前記円筒部の前記溝に係合させることにより、前記反射板取付具を前記反射板に取り付けた照明器具。
【請求項２】
前記反射板取付具は、外周面から内周面に貫通する貫通孔を有し、前記内突部は該貫通孔に挿入される、請求項１に記載の照明器具。
【発明の詳細な説明】
【技術分野】
【０００１】
本発明は、照明器具の灯体と反射板との取付部の構成に関する。
【背景技術】
【０００２】
従来、照明器具において反射板を備えるものが広く使用されている。反射板は、光源から放射される光を反射して所望の配光を得るために設けられる。
【０００３】
上記のような照明器具の中には、灯体への取付部の中心軸周りに反射板の取付角度を調整できるようにしたものがある。このような照明器具は、主に、所望の配光を得るために反射板の取付角度を調整できるようにしている。たとえば、楕円状の反射光を生じる反射板や、矩形状の反射光を生じる反射板等がある。とくに、スポットライト装置等のように、局所的に光を当てるために使用される照明器具では、配光の調整が重要である。
【０００４】
従来から、配光を調整できるように反射板を灯体に取り付ける方法が提案されている。
【０００５】
特許文献１においては、フードを反射板内に挿入して、フードのガイドピン固着孔と反射板の長孔を合わせ、ガイドピンに段部の反対側から弾性手段を挿入して、そのガイドピンを段部を外側として反射板に取り付ける方法が提案されている。
【０００６】
また、特許文献２においては、反射板と灯体との間にコイルスプリングを入れて、反射板を灯体に押し込み、両者に設けられた係止手段によって反射板を灯体に相対回転可能に取り付ける方法が提案されている。
【特許文献１】特開平８−７６２１号公報
【特許文献２】特開２０００−１４９６４５号公報
【発明の開示】
【発明が解決しようとする課題】
【０００７】
しかし、特許文献１に係る構造のものにおいては、スプリングやスペーサを挟んでガイドピンを三箇所に取り付けなければならないなど、構造が複雑で取り付けるのに手間がかかる。
【０００８】
また、特許文献２に係る構造のものにおいては、反射板の取付角度を９０度ずつしか変更することができない。さらに、反射板を灯体に取り付ける際に、コイルスプリングが反射板の後端円筒部にはまり込んでしまい、うまく取り付けられないというトラブルが起きやすい。
【０００９】
加えて、従来技術では、構造の複雑さや、反射板の支持強度を確保するために、取付部のコンパクト化が容易ではない。
【００１０】
そこで、本発明においては、単純でコンパクトに製作できる構成で、反射板を灯体に簡単に取り付けることができ、かつ、取り付けてから簡単に反射板の角度を調整して、配光の微調整ができる照明器具を提供することを目的とする。
【課題を解決するための手段】
【００１１】
本発明の解決しようとする課題は以上の如くであり、次にこの課題を解決するための手段を説明する。
【００１２】
すなわち、請求項１においては、反射板を有する照明器具であって、前記反射板の後端部に設けられ、外周に溝が形成される円筒部と、前記円筒部の前記溝に設けられる溝突部と、反射板取付具と、前記反射板取付具の内側に設けられる内突部と、を具備し、前記反射板取付具を前記円筒部にはめ合わせ、かつ前記内突部を前記円筒部の前記溝に係合させることにより、前記反射板取付具を前記反射板に取り付けた照明器具を提供する。
【００１３】
請求項２においては、前記反射板取付具は、外周面から内周面に貫通する貫通孔を有し、前記内突部は該貫通孔に挿入される照明器具を提供する。
【発明の効果】
【００１４】
本発明の効果として、以下に示すような効果を奏する。
【００１５】
請求項１に係る照明器具においては、単純でコンパクトに製作できる構成により、反射板取付具の中心軸に関する反射板４の回転角度を微調整することができる。しかも、安価に製作できるとともに、簡単に組み立てることができる。そして、反射板を、反射板取付具を介して灯体に固定した状態で、反射光を見ながら反射板を回転させて取付角度を簡単に微調整することができる。また、反射板を灯体へ取り付ける際には、反射板を持って、反射板と反射板取付具とを一体的に灯体へ取り付けることができる。つまり、簡単に反射板を灯体へ取り付けることができる。
【００１６】
請求項２においては、内突部を、貫通孔を通して、外側から反射板取付具に簡単に取り付けることができる。
【発明を実施するための最良の形態】
【００１７】
次に、発明の実施の形態を説明する。
【００１８】
図１は本発明に係る照明器具の全体的な構成を示す側面図、図２は本発明に係る照明器具の正面図である。図３は反射板円筒部の側面図、正面図、及び斜視図である。図４は反射板取付具の正面図、側面図、及び斜視図である。
【００１９】
図５は本発明に係る照明器具の全体的な構成を示す斜視図である。図６は反射板円筒部に反射板取付具を取り付けた状態を示す正面図、側面図、斜視図、及び断面図である。図７は溝突部が係合ネジに突き当たる状態を示す正面図である。図８は本発明に係る照明器具の断面側面図である。図９は異なる構成による反射板取付具の正面図、及び側面図である。
【００２０】
なお、本出願においては、図１における紙面左側を照明器具の正面側（前方側）、右側を背面側（後方側）とする。
【００２１】
図１（ａ）、図５（ａ）に示すように、本実施形態に係る照明器具１００は、灯体１、反射板４、反射板取付具８を具備する。図１（ａ）〜（ｃ）及び図５（ａ）〜（ｃ）に示すように、本実施形態に係る照明器具１００の組み立ては、まず反射板４に反射板取付具８を取り付けたうえで、反射板取付具８を灯体１に取り付けることにより行われる。
【００２２】
図１及び図５に示すように、灯体１は略円筒形状であり、前端は開口している。灯体１の内部には、電球３を挿し込んで固定するためのソケット２が設けられている。図５（ａ）、（ｂ）、及び図８（図２の正面図におけるＡ矢視断面図）に示すように、灯体１の内周面において、ソケット２の手前側には、反射板取付具８を取り付けるためのネジ山１１が設けられている。一方、後端部は閉じられており、ソケット２から外部へ給電線等を引き出すための小孔が設けられている。
【００２３】
反射板４は、電球３から放射される光の一部を反射する。図１、図２、及び図５（ａ）に示すように、反射板４は同心円椀状の反射板本体部１６を有する。本実施例では、反射された光が楕円状に拡がる反射板４が用いられるが、反射板４の中心軸周りの取付角度によって、反射光の配光が変化するものであれば、一方向に集光させたり、多方向に分散させたりしてその反射配光の形状や特徴等は限定するものではない。
【００２４】
反射板本体部１６の後端部には、反射板円筒部５が設けられている。反射板４はガラス製であり、反射板本体部１６と反射板円筒部５とは一体的に製作されている。なお、反射板４には、ガラスの他、金属、プラスチック等、任意の材料を用いることができる。
【００２５】
図３に反射板円筒部の構造を示す。図３（ａ）、（ｂ）は、それぞれ、反射板円筒部５の側面図及び正面図を示す。図３（ｃ）は、反射板円筒部５を斜め前方より見た斜視図を示す。図３（ａ）〜（ｃ）に示すように、反射板円筒部５の前端部と後端部にはそれぞれ、正面視において反射板円筒部５の孔と同心円状に、前鍔部１４と後鍔部１５が設けられている。前鍔部１４の外径は後鍔部１５の外径よりも大きく、また、図６に示すように、前鍔部１４の外径は反射板取付具８の内径よりも大きく、反射板取付具８の外径よりも小さくして、後述する段付部１３の端面に当接できるようにしている。後鍔部１５の外径は反射板取付具８の内径に略一致させて反射板取付具８内に挿入できるようにしている。
【００２６】
反射板円筒部５の外周面において、前鍔部１４と後鍔部１５とに挟まれた部分は、周溝６を形成している。この周溝６上には、溝突部７が設けられている。つまり、前鍔部１４と後鍔部１５との間に周溝６の一部を埋める溝突部７が形成されて、後述するように反射板４を回転させた時のストッパーとなるようにしている。
【００２７】
反射板円筒部５には、鉄製の反射板取付具８が取り付けられる。図４に反射板取付具８の構造を示す。図４（ａ）、（ｂ）は、それぞれ、反射板取付具８の正面図及び側面図である。図４（ｃ）は、反射板取付具８を斜め前方より見た斜視図である。なお、反射板取付具８は、鉄製に限らず、アルミニウム等、他の金属を用いて製作することもできる。また、プラスチック製、木製等、様々な材料で製作することが可能である。
【００２８】
反射板取付具８は円筒形状である。反射板取付具８には、その外周面から内周面へ弦方向に貫通する一対のネジ孔９ａ・９ａが設けられている。該ネジ孔９ａ・９ａの位置は図６（ｄ）に示すように、反射板取付具８に反射板円筒部５をはめ込んだ状態で後鍔部１５の直前に位置するように設けられる。こうして、係合ネジ９・９をネジ孔９ａ・９ａに挿入して該係合ネジ９・９により内突部を形成して、反射板４の抜け止めとなるようにしている。また、反射板取付具８の後端部外周面には、灯体１に設けられたネジ山１１に対応したネジ溝１２が切られている。さらに、反射板取付具８の前端には周方向に段付部１３が設けられている。なお、反射板取付具８の後端部には、反射板円筒部５の後鍔部１５を覆い隠すように後端部円環板１７が設けられている。後端部円環板１７は、電球３を挿し通すための孔を有する。
【００２９】
反射板４に反射板取付具８を取り付ける際には、図５（ａ）、（ｂ）に示すように、まず反射板取付具８を反射板円筒部５にはめ合わせ、それからネジ孔９ａ・９ａに二本の係合ネジ９・９をねじ込む。すると、図６（ａ）に示すように、係合ネジ９・９は、正面視において、周溝６内で弦方向に挿入される。かつ、係合ネジ９・９は、正面視において、反射板円筒部５の中心軸を挟んで互いに略平行に配置される。
【００３０】
また、図４（ａ）、（ｃ）に示すように、反射板取付具８の内周面において、挿入された係合ネジ９・９のそれぞれの先端部が突き当たる位置に、ネジ孔９ｂ・９ｂが設けられている。係合ネジ９・９の先端部はネジ孔９ｂ・９ｂに挿入されて支持される。これにより、係合ネジ９・９がネジ孔９ａ・９ａを支点にぶれたり曲がったりすることが防がれる。
【００３１】
ここで、反射板取付具８に対する反射板４の移動制限について説明する。図６（ａ）、（ｂ）は、それぞれ、反射板取付具８を反射板円筒部５に取り付けた状態での正面図及び側面図である。図６（ｃ）は、斜め前方より見た斜視図である。図６（ｄ）は、図６（ａ）におけるＢ矢視断面側面図である。
【００３２】
反射板取付具８は、反射板４を軸方向に動かないように支持する。詳述すると、図６（ｂ）〜（ｄ）に示すように、反射板４が後方へ移動しようとすると、反射板４の前鍔部１４が反射板取付具８の段付部１３に突き当たる。これにより、反射板４の軸方向後方への移動が止められる。一方、反射板４が前方へ移動しようとすると、後鍔部１５が係合ネジ９・９に突き当たるために、反射板４の軸方向前方への移動が止められる。図６（ｂ）、（ｄ）に示すように、前鍔部１４が反射板取付具８の前端部に突き当たった状態において、後鍔部１５と係合ネジ９・９との間隙はわずかしかない。その結果、反射板４は軸方向に移動することができない。なお、上記のように、係合ネジ９・９は弦方向に平行に設けられているために、後鍔部１５を安定的に支持することができる。
【００３３】
また、図６（ａ）〜（ｄ）に示すように、反射板取付具８の内周面と後鍔部１５との間隙はわずかしかないので、反射板取付具８は反射板４を径方向にも動かないように支持する。
【００３４】
以上のように、反射板４は、反射板取付具８によって、該反射板取付具８に対して軸方向と径方向の移動ができないように支持されている。これにより、反射板４は、反射板取付具８に対して中心軸周りの回転移動のみ許される。
【００３５】
ここで、図６（ａ）の状態から反射板４を左に回転させていくと、図７（ａ）に示すように、周溝６に設けられた溝突部７が右側の係合ネジ９に突き当たる。逆に、反射板４を右に回転させていくと、図７（ｂ）に示すように、溝突部７が左側の係合ネジ９に突き当たる。したがって、反射板４の回転できる範囲は制限される。本実施形態においては、反射板４が略９０度の範囲で回転できるように、溝突部７が係合ネジ９・９に突き当たる位置が決められている。このように、係合ネジ９・９の挿入位置と溝突部７の周方向の大きさを適当に決めることによって、反射板４の回転範囲を所望の範囲に制限することができる。
【００３６】
次に、反射板４の灯体１への取り付けについて説明する。以下に説明するように、反射板４は、反射板取付具８を反射板円筒部５に取り付けた状態で、灯体１に取り付けることができる。
【００３７】
図５（ｂ）に示すように、反射板４を持って、灯体１の前端開口に反射板取付具８の後端を当て、その状態で反射板４を周方向右側に回す。すると、反射板取付具８は回らずに、まず反射板４だけが回る。これは、反射板取付具８と灯体１との間の最大静止摩擦力が、反射板４と反射板取付具８との間の最大静止摩擦力よりも大きいためである。
【００３８】
反射板４をそのまま回すと、図７（ｂ）に示すように、溝突部７が左側の係合ネジ９に突き当たる。すると、反射板４とともに反射板取付具８も一体的に回りだす。したがって、さらに反射板４を回すことによって、反射板取付具８のネジ溝１２を灯体１のネジ山１１にねじ込むことができる。
【００３９】
図５（ｃ）に示すように、反射板取付具８を灯体１にねじ込んで固定すると、反射板４と反射板取付具８との間の最大静止摩擦力は小さいので、反射板取付具８は灯体１に固定されたままの状態で、反射板４だけ反射板取付具８と灯体１に対して上述の回転可能範囲（約９０度）内で自由に回転させることができる。
【００４０】
反射板４は、手で持って支えると軽く回すことができる。一方、手を離すと、反射板４自体の重量によって、反射板円筒部５の一部が反射板取付具８に密着する。これにより両者の間に摩擦力が発生するため、反射板４は自然に回ることはなく、所望の角度で固定される。
【００４１】
反射板４を灯体１から外すときは、反射板４を持って、取り付けるときと反対向き（左向き）に回す。すると、取り付けるときと同様に、まず反射板４だけが回って、図７（ａ）に示すように、溝突部７が右側の係合ネジ９に突き当たる。そして、さらに反射板４を回すと、反射板取付具８もいっしょに回って灯体１から外れる。
【００４２】
係合ネジ９・９の役割をまとめると、係合ネジ９・９は、反射板円筒部５の後鍔部１５に突き当たることにより、反射板４が軸方向前方に動いて反射板取付具８から抜けるのを阻止する役割を果たす。また、反射板４を灯体１に取り付ける際、及び灯体１から取り外す際には、溝突部７が係合ネジ９・９に突き当たることにより、反射板取付具８を反射板４と一体的に回転させる役割を果たす。さらに、反射板４を灯体１に取り付けた状態では、溝突部７が係合ネジ９・９に突き当たることにより、反射板４の反射板取付具８に対する回転可能範囲を制限する役割を果たす。
【００４３】
以上のように、反射板４は、反射板取付具８を取り付けた状態で、反射板４自体を持って回すことにより、簡単に灯体１に取り付けたり外したりすることができる。
【００４４】
また、反射板４を灯体１に固定した状態で、反射板４を回すだけでその取付角度を調整することができる。しかも、配光の調節をする際に電球を取り外す必要がなく、光を見ながら配光を微調整することができる。
【００４５】
以上のように、本発明に係る照明器具は、単純でコンパクトに製作できる構成で、簡単に組み立てることができるとともに、組み立てた後に配光の微調整をたやすく行うことができる。
【００４６】
なお、反射板取付具の構成は上述したものに限定されるものではない。ここで、図９（ａ）〜（ｃ）に、異なる構成による反射板取付具１０８を示す。図において、反射板取付具８と同一の部材には同じ符号を付している。図９（ａ）、（ｃ）に示すように、反射板取付具１０８は、上述の反射板取付具８の内周壁に切欠１０・１０を設けて、係合ネジ９・９を、より径方向外側に挿入できるようにしたものである。また、ネジ孔１０９ａ・１０９ａもそれに応じた位置に設けられている。図９（ｂ）は、反射板取付具１０８に係合ネジ９・９を挿入した状態を示している。係合ネジ９・９は、切欠１０・１０の側面および底面に密着して支持されるため、ネジ孔１０９ａ・１０９ａを支点にしてぶれたり曲がったりすることがなく、安定的に固定される。以上のように、両係合ネジ９・９の間隔をより広くとったことにより、反射板取付具１０８は、より大きな周溝部厚みを有する反射板円筒部に取り付けることができる。つまり、より強度の高い反射板円筒部を挿入できるので、より重い反射板を取り付けることができる。
【００４７】
また、反射板取付具１０８においては、図９（ａ）〜（ｃ）に示すように、上述の後端部円環板１７上にワッシャ―１９を置く。ワッシャ―１９は側面視において波板状の形状であり、前後方向に弾性を有する。反射板円筒部５に反射板取付具１０８を取り付けると、反射板円筒部５の後鍔部１５はワッシャ―１９と係合ネジ９・９に前後から挟まれて押さえつけられる。これにより、反射板円筒部５を反射板取付具１０８に固定する力が増し、反射板４の取付角度が自然にぶれたりすることが防がれる。
【００４８】
なお、本実施形態においては、係合ネジ９・９を用いた簡単な構成によって、反射板取付具８を反射板４の周溝６に係合させるための係合突部を形成した。しかし、係合突部を形成する方法は、本実施形態に係る方法に限定されるものではない。たとえば、係合ネジを３本以上用いて、それぞれのネジを、弦方向ではなく、径方向に挿入することにより、安定的に反射板４を支持することもできる。また、ネジを用いる代わりに、ピンを挿入してピンの外端部を反射板取付具８の外周面に圧着させる方法でもよい。通常、反射板取付具８を反射板４に一度取り付けると、それ以後に外す必要はあまりないので、照明器具の製作工程や、現場での取り付け作業に応じて、都合のよい方法を採用すればよい。
【００４９】
また、本実施形態においては、反射板取付具８の外周面と灯体１の内周面とが円形であり、反射板取付具８を灯体１にねじ込んで取り付ける構成である。しかし、反射板取付具８の灯体１への取付方法は、本実施形態のような方法に限定されるものではない。たとえば、ネジ山１１、ネジ溝１２の代わりに、係止片を設けて結合する方法でもよい。また、反射板取付具８外縁は矩形や楕円等、あらゆる形状でよく、灯体１はその形状に応じた取付部を有していればよい。
【実施例１】
【００５０】
次に、本発明に係る照明器具を、天井に設置するスポットライト装置に取り付けて使用する実施例を示す。
【００５１】
図１０は、本実施例に係るスポットライト装置の全体構成を示す側面図である。図１１は、本実施例に係るスポットライト装置の斜視図である。図１２は照明器具からの配光の概略を示す図である。
【００５２】
図１０に示すように、本実施例に係るスポットライト装置２５０は、本発明に係る照明器具２００を具備する。また、スポットライト装置２５０は、電源部２５１と、該電源部２５１の底面端部から下方に垂直に設けられるアーム２５２とを具備する。アーム２５２の下端部には照明器具取付部２５３が設けられている。そして、該照明器具取付部２５３に、照明器具２００が取り付けられる。電源部２５１の上端部を、天井に取り付けたスポットライト装置取付具２５４に装着することにより、スポットライト装置２５０は天井に固定される。
【００５３】
電源部２５１は、内部に、照明器具２００に電力を供給するための機器を備える。電源部２５１の外部より内部に電源線を引き込み、前記機器によって変圧等が行われる。それから、アーム２５２の内部、及び照明器具取付部２５３を介して、給電線が照明器具２００の内部に引き込まれ、ソケット２０２に接続される。
【００５４】
照明器具２００の構成について説明する。本実施例において使用する照明器具２００は上記実施形態における照明器具１００とほぼ同一の構成である。
【００５５】
図１０に示すように、照明器具２００は、上記実施形態に係る照明器具１００と同様に、灯体２０１、反射板２０４、及び反射板取付具２０８で構成される。灯体２０１の後端部には、アーム取付部２２０が設けられている。アーム取付部２２０以外の構成は、上記の灯体１の構成と同一であり、内部にソケット２０２を備え、該ソケットに電球２０３が取り付けられる。また、灯体２０１の内周面には後述の反射板取付具２０８を取り付けるためのネジ山が設けられている。
【００５６】
本実施例に係るスポットライト装置２５０に取り付けられる照明器具２００においては、反射光が略楕円状に拡がる反射板２０４が用いられる。反射板２０４はガラス製であり、反射板本体部２１６と、反射板円筒部２０５から成る。反射板円筒部２０５は、反射板本体部２１６の後端部に一体的に形成される。
【００５７】
反射板円筒部２０５の構成は、上記の実施形態に係る反射板円筒部５の構成と同一である。前鍔部２１４及び後鍔部２１５を有するとともに、両者に挟まれて周溝２０６が形成されている。そして、周溝２０６には溝突部２０７が設けられている。
【００５８】
反射板本体部２１６は略同心円椀状の形状であるが、反射面に偏光用の溝加工が施されている。これにより、電球２０３から放射された光は、反射板２０４によって反射されると、反射板２０４の中心軸に関して略楕円状に拡がる。
【００５９】
本実施例において使用する反射板取付具２０８は、上記の実施形態の反射板取付具８と同一の構成であり、二つのネジ孔２０９ａ・２０９ａを有する。反射板取付具２０８の反射板２０４への取り付けも、同様に、反射板取付具２０８を反射板円筒部２０５へはめ当てたうえで、ネジ孔２０９ａ・２０９ａに二本の係合ネジ２０９・２０９を挿入することによって行われる。
【００６０】
反射板取付具２０８の灯体２０１への取付方法も、上記実施形態において説明した方法と同一である。反射板取付具２０８の外周面後端部に、灯体２０１の前記ネジ山に対応したネジ溝２１２が切られており、反射板２０４を持って、灯体２０１に当てて回すことにより、反射板取付具２０８が灯体２０１にねじ込まれる。
【００６１】
次に、照明器具２００のアーム２５２への取り付けについて説明する。灯体側のアーム取付部２２０の円筒部を、アーム２５２側の照明器具取付部２５３の円孔に挿入する。これにより、照明器具２００は照明器具取付部２５３で支持され、その中心軸周りに回転することができる。
【００６２】
図１１に示すように、本実施例においては、アーム２５２はその軸方向周りに３６０度回転させることができる。また、照明器具２００は、照明器具取付部２５３の中心軸周りに、下方側の１８０度の範囲で回転させることができる。これにより、反射板２０４の正面は、照明器具取付部２５３より下方のあらゆる方向に向けることができる。
【００６３】
本実施例に係るスポットライト装置２５０においては、上記のように反射板２０４を所望の方向に向けたうえで、さらに、反射板２０４を回して簡単に配光の調整を行うことができる。本実施例においては、略９０度の範囲内で、反射板２０４の固定角度を任意の角度に調整することができる。しかも、電球をつけたまま、反射光の投映形状を見ながら反射板２０４を回すことができるので、配光の微調整を簡単に行うことができる。
【００６４】
図１２（ａ）は、反射板４を、正面視において最も左側に回して固定した場合に、反射光の中心軸に垂直な仮想平面上に投映される反射光の概略形状を示している。一方、図１２（ｂ）は、反射板４を、正面視において最も右側に回して固定した場合に投映される反射光の概略形状を示している。図１２（ｂ）における投映光は、図１２（ａ）における楕円状投映光の長軸と短軸がちょうど入れ替わっている。両者の範囲の任意の角度で配光を調整することができる。
【００６５】
以上のように、本実施例に係るスポットライト装置２５０は、本発明に係る照明器具２００を用いることにより、単純な構成で、簡単に配光の微調整を行うことができる。
【００６６】
なお、本実施例においては、楕円配光を有する反射板を具備するスポットライト装置に本発明に係る照明器具を適用する例を示したが、本発明に係る照明器具は、その他にも、様々な目的で適用することができる。
【００６７】
たとえば、反射光が矩形状に拡がる反射板を用いる照明器具にも適用できる。また、反射板の回転軸に対して略垂直方向に光を反射する反射板を用いる照明器具にも適用できる。このように、本発明に係る技術は、反射板の回転軸に関して非同心円状に反射光が拡がる反射板を有する、あらゆる照明器具に適用して、配光の調整を行うことができる。
【００６８】
また、光の一部を透過する反射板にステンドグラス様の模様を施し、反射板から漏れ出る光を楽しんだり、壁等に投映される模様を楽しんだりするような照明器具がある。そのような照明器具においても、本発明に係る技術を適用することにより、反射板の取り付け角度を調整して所望の模様配置を得ることができる。
【００６９】
以上に本発明に係る照明器具の実施例を示した。なお、本発明に係る照明器具は、上述した構成のものに限らず、本発明を特徴付ける思想に基づいて自由に構成することができることは当業者によって容易に理解できよう。
【産業上の利用可能性】
【００７０】
本発明に係る照明器具は、非同心円状の配光を有する反射板を具備するスポットライト装置等に適用することができる。
【図面の簡単な説明】
【００７１】
【図１】本発明に係る照明器具の全体的な構成を示す側面図。
【図２】本発明に係る照明器具の正面図。
【図３】反射板円筒部の側面図、正面図、及び斜視図。
【図４】反射板取付具の正面図、側面図、及び斜視図。
【図５】本発明に係る照明器具の全体的な構成を示す斜視図。
【図６】反射板円筒部に反射板取付具を取り付けた状態を示す正面図、側面図、斜視図、及び断面図。
【図７】溝突部が係合ネジに突き当たる状態を示す正面図。
【図８】本発明に係る照明器具の断面側面図。
【図９】異なる構成による反射板取付具の正面図、及び側面図。
【図１０】本実施例に係るスポットライト装置の全体構成を示す側面図。
【図１１】本実施例に係るスポットライト装置の斜視図。
【図１２】照明器具からの配光の概略を示す図。
【符号の説明】
【００７２】
１    灯体
２    ソケット
３    電球
４    反射板
５    反射板円筒部
６    周溝
７    溝突部
８    反射板取付具
９・９    係合ネジ
９ａ・９ａ    ネジ孔
１０・１０    切欠
１１    ネジ山
１２    ネジ溝
１３    段付部
１４    前鍔部
１５    後鍔部
１６    反射板本体部
１７    後端部円環板
【図１】
2006286406.tif 000003
【図２】
2006286406.tif 000004
【図３】
2006286406.tif 000005
【図４】
2006286406.tif 000006
【図５】
2006286406.tif 000007
【図６】
2006286406.tif 000008
【図７】
2006286406.tif 000009
【図８】
2006286406.tif 000010
【図９】
2006286406.tif 000011
【図１０】
2006286406.tif 000012
【図１１】
2006286406.tif 000013
【図１２】
2006286406.tif 000014